(57)【要約】【課題】店頭に於いて、消費者に存在を認識させると共に、興味を惹くことにより、訴求対象に効率的に情報伝達するための三角形状の外観を有したチラシを収納、設置するための店頭チラシ収納箱を提供する。【解決手段】展開状態に於いて１枚のシートから成り、連接する底板部（１）と外面側板部（２）とを外面側板部折罫（４）から折り曲げ、固定した後、天板部（７）と収納部側板部（８）及び背面表示板（１２）とを収納部側板部縦折罫（９）、天板部折罫（１０）、収納部側板部横折罫（１１）とによって折り曲げ、形成される収納部に三角形状の外観を有したチラシを安定した状態で、効果的に収納し店頭に設置できると共に、情報を伝達しようとする商品やサービスの多様な特徴並びにイメージを表現するために、背面表示板の頭頂部を任意の形状に変更できる構成にした。【選択図】  図９
2010006376.tif 000002
【特許請求の範囲】
【請求項１】
展開状態に於いて連接した底板部（１）、外面側板部（２）、天板部（７）、収納部側板部（８）と背面表示板（１２）による1枚のシートから構成され、収納部側板部（８）と背面表示板（１２）から形成される収納部に三角形状の外観を有したチラシなどの広告宣伝物を安定した状態で効果的に収納できることを特徴とする店頭チラシ収納箱。
【請求項２】
展開状態に於いて１枚のシートからなり、情報を伝達しようとする商品やサービスのイメージに応じて、背面表示板（１２）の頭頂部の形状を任意に変更できることを特徴とする請求項１に記載の店頭チラシ収納箱。
【発明の詳細な説明】
【技術分野】
【０００１】
本発明は、1枚のシートから形成される店頭チラシ収納箱に関するものである。
【背景技術】
【０００２】
従来の店頭チラシは四角形の状態で収納箱に収納されるものが一般的であり、また収納部もそれが安定した状態で収納できるように四角形の箱型の構造を基本としているものが一般的である。
（例えば、特許文献１参照）
【０００３】
【特許文献１】特開平８−３２４５５０
【発明の開示】
【発明が解決しようとする課題】
【０００４】
従来の店頭チラシは四角形状の外観を有するものが大半であることから、競合する商品やサービスのチラシ、などとの形状面に於ける差異が少ないため、訴求対象の興味を引き、効率的に情報伝達することが困難である。
【０００５】
また、店頭に於いてチラシの存在を認知させると共に、興味を引くことを目的として四角形状以外のチラシを用いた場合、前記（０００２）に示した形態の収納箱では不安定且つ見栄えの悪い状態を招き、意図した効果を得ることが困難である。
【課題を解決するための手段】
【０００６】
本発明は、記述の課題を解決した三角形状の外観を有したチラシを安定した状態で、効果的に収納できる、1枚のシートから構成される店頭チラシ収納箱を提供するものである。
【０００７】
本発明は、展開状態に於いて折罫を介して連接した底板部、外面側板部、外面側板部差し込み片、天板部、収納部側板部、背面表示板、背面表示板差し込み片による1枚のシートから構成され、底板部を基準に各折罫にて折り曲げることにより組み立てた後、収納部側板部と背面表示板とによって形成されるチラシ収納部に三角形状の外観を有したチラシを安定した状態で、効果的に収納し、陳列できることを特徴とする店頭チラシ収納箱である。
【発明の効果】
【０００８】
本発明は、三角形状の外観を有するチラシを安定した状態で、効果的に収納することにより、店頭に於けるチラシの存在を認識させる共に、興味を惹かせることにより、消費者がチラシを手に取り、記載内容を閲覧する可能性を高め、効率的に情報伝達することができる店頭チラシ収納箱である。
【０００９】
本発明は、シート全体への印刷が可能であると共に、背面表示板頭頂部の形状が収納箱の組み立てに関与しない構造であることから、情報を伝達しようとする商品やサービスの多様な特徴並びにイメージを表現するための任意の形状に変更することができる店頭チラシ収納箱である。
【発明を実施するための最良の形態】
【００１０】
以下、本発明の実施の形態として一実施例を図１〜図９に基づいて説明する。
【００１１】
図１は店頭チラシ収納箱の展開状態を示し、本図により各部位の名称を記す。図２、３、４、５、６、７に組み立て、形成、図８にチラシの収納、図９に店頭での設置状態の順に示す。
【００１２】
以下に組み立て方法を説明する。図１の底板部（１）と外面側板部（２）を図２に示すように底板部折罫（３）を介して折り曲げた後、図３に示すように隣り合う外面側板部（２）を外面側板部折罫（４）を介して折り曲げ、外面側板部差し込み片（５）を外面側板部差し込み口（６）に差し込むことにより底板部（１）と外面側板部（２）とを固定し、次に図４に示すように収納部側板部縦折罫（９）を谷折りすると同時に、天板部折罫（１０）と収納部側板部横折罫（１１）を山折りすることにより収納部側板部（８）によってチラシ収納部の前方側を形成する。
【００１３】
図５は罫線を介して背面表示板（１２）が起こされた状態であり、背面表示板差し込み片（１３）の両端を折り畳み、背面表示板差し込み口（１４）に差し込んだ後、図６に示すように背面表示板差し込み口（１４）の折り畳んだ両端を開いて、背面表示板を固定し、チラシ収納部を完成させる。
【００１４】
図７は組み立てられた店頭チラシ収納箱の全体前面斜視であり、組み立て後、図８に示すように三角形状の外観を有したチラシを収納する。
【実施例】
【００１５】
図９は、三角形状を有したチラシを収納した状態の全体の前面側斜視を示し、チラシ収納部に三角形状の外観を有したチラシを安定した状態で、効果的に収納し店頭に展示することができる。
【産業上の利用可能性】
【００１６】
本発明の店頭チラシ収納箱は以下の効果を提供できる。
◆1枚のシートから構成されることにより、単一素材の収納箱となり、使用済み後の分別が不要となり、リサイクルが容易である。
◆三角形状の外観を有したチラシを安定した状態で、効果的に収納し、陳列できることにより、消費者に対し店頭に於けるチラシの存在を認識させると共に、興味を惹かせることにより、消費者がチラシを手に取り、記載内容を閲覧する可能性が高まることから、効率的に情報伝達できる効果が得られる。
◆シート全体への印刷が可能であると共に、背面表示板頭頂部の形状が収納箱の組み立てに関与しない構造であることから、情報を伝達しようとする商品やサービスの多様な特徴並びにイメージを表現するための任意の形状に変更することができる。
【図面の簡単な説明】
【００１７】
【図１】展開した店頭チラシ収納箱を示した。
【図２】図１から始まる底板部と外面側板部の折り曲げ後の状態を示した。
【図３】図２の状態に続く底板部と外面側板部との固定の状態を示した。
【図４】図３の状態に続く収納部前面側の形成過程を示した。
【図５】図４の状態に続く背面表示板を起こし、背面表示板差し込み片の両端を折り畳んだ状態を示した。
【図６】図５の状態に続く背面表示板と収納部側板部との固定の状態を示した。
【図７】図６の状態に続く組み立てが完了した店頭チラシ収納箱の全体前面斜視を示した。
【図８】図７の状態に続く収納部に三角形状を有したチラシを収納する状態を示した。
【図９】図８の状態に続くチラシを収納して店頭チラシ収納箱を店頭に設置する状態を示した。
【符号の説明】
【００１８】
１  底板部
２  外面側板部
３  底板部折罫
４  外面側板部折罫
５  外面側板部差し込み片
６  外面側板部差し込み口
７  天板部
８  収納部側板部
９  収納部側板部縦罫
１０  天板部折罫
１１  収納部側板部横罫
１２  背面表示板
１３  背面表示板差し込み片
１４  背面表示板差し込み口
【図１】
2010006376.tif 000003
【図２】
2010006376.tif 000004
【図３】
2010006376.tif 000005
【図４】
2010006376.tif 000006
【図５】
2010006376.tif 000007
【図６】
2010006376.tif 000008
【図７】
2010006376.tif 000009
【図８】
2010006376.tif 000010
【図９】
2010006376.tif 000011